(57)【要約】【課題】脆弱なキャピラリカラムでも挿通可能な自閉式細管挿通ゲートを提供し、以てＧＣ／ＭＳにおけるカラム交換作業の能率向上を図る。【解決手段】細管挿通孔１７が貫設された部材（ボディ１１）内に封入したボール１８の移動により細管挿通孔１７を開閉するように構成された自閉式の細管挿通ゲート１において、このボール１８を磁性材料で構成すると共にボディ１１を非磁性材料で構成する。このように構成することにより、外部からボール１８に磁石を近づけることによりボール１８を移動させて細管挿通孔１７を開くことができるから、キャピラリカラム４に無理な力を掛けずに挿通することができ、しかも、キャピラリカラム４を抜き取ったときはボール１８が自重で落下して直ちに細管挿通孔１７を塞ぎ、空気の流入を防ぐ。【選択図】          図１
0003134325.tif 000002
【実用新案登録請求の範囲】
【請求項１】
クロマトグラフ部で分離された試料が通過する細管が細管挿通ゲートを介して質量分析部の真空系に挿通されて成るクロマトグラフ質量分析装置において、前記細管挿通ゲートは、細管を挿通する細管挿通孔が貫設された非磁性材料の部材と、この部材内に封入され、外部磁界により移動させて前記細管挿通孔を開閉する磁性材料のボールとで構成されることを特徴とするクロマトグラフ質量分析装置。
【考案の詳細な説明】
【技術分野】
【０００１】
本考案はガスクロマトグラフ質量分析装置（以下、ＧＣ／ＭＳと略記する）等の分析装置に関し、特に、インターフェイス部において真空容器などに細管を挿通するための自閉式細管挿通ゲートに関する。
【背景技術】
【０００２】
図３に、従来のＧＣ／ＭＳの構成を、特にガスクロマトグラフ部と質量分析部との連結部（インターフェイス）に重点を置いて示す。
同図に示すように、ガスクロマトグラフ部２に設けられたキャピラリカラム４の末端が細管挿通ゲート１を介して質量分析部３に挿通される（このような連結部の構成はキャピラリ直結形インターフェイスと呼ばれることがある）。ガスクロマトグラフ部２において試料導入部５から注入された試料は、キャリアガスの流れによりキャピラリカラム４の中を運ばれる過程で各成分に分離されて質量分析部３に導入され、ここでさらに質量分析が行われて定性・定量のためのデータが得られる。
【０００３】
細管挿通ゲート１は、質量分析部３の真空系の隔壁１６にナット１５で固定されたボディ１１を主要構成部材とし、これを貫通する細管挿通孔１７にキャピラリカラム４を挿通し、フェルール１３を挟んでナット１２を締め付けることで気密を保ってキャピラリカラム４を固定する。なお、１４はボディ１１と隔壁１６との間の気密を保つパッキンである。
【０００４】
キャピラリカラム４は分析目的に応じて頻繁に交換する必要があるが、キャピラリカラム４の交換に際して、このままナット１２を緩めキャピラリカラム４を抜き出すと、細管挿通孔１７を通って真空系に流入する空気により質量分析部３の内部が汚染される恐れがある。従って、先ず質量分析部３の真空ポンプ（図示しない）を止めて真空を落としてから、キャピラリカラム４を交換する必要がある。この場合、交換後に再度真空ポンプを作動させて分析所要の真空度に達するまでに長時間を要するので、作業能率が著しく悪い。このため、真空を落とさずにキャピラリカラム４を抜き出しても自動的に細管挿通孔１７が閉じる自閉式細管挿通ゲートが求められている。
【０００５】
図４に従来の自閉式細管挿通ゲートの一例を示す。これは、液体クロマトグラフ質量分析装置（以下、ＬＣ／ＭＳ）において、大気圧イオン化部から試料イオンを真空系に導入する部分に用いられる自閉式ゲートの例であって、特許文献１において従来技術として示されているものである。
図４において、隔壁１６の右側が真空系、左側が大気圧空間である。隔壁１６に固定されたボディ３２に貫設された細管挿通孔３５の中間にボール３３が封入されており、このボール３３を押し上げて金属製の細管３１が挿通される。細管３１は試料の残渣等で汚れやすいので、しばしば洗浄を必要とする。洗浄のために細管３１を抜去するとボール３３がスプリング３４に押されて下方に移動し、細管挿通孔３５を閉塞して空気の流入を防ぐ。なお、３６は気密保持と汚染防止のためのカバーである。
【０００６】
【特許文献１】実用新案登録第３１０９１８１号公報
【考案の開示】
【考案が解決しようとする課題】
【０００７】
図４に示す自閉式ゲートの従来例は、細管を挿通する過程で細管自体によりボールを押し退ける方式であるが、脆弱なキャピラリカラムはボールを押し退けるための強度が不足しているので、このような構造をそのままＧＣ／ＭＳに適用すると、キャピラリカラムが破損する可能性がある。
本考案はこのような事情に鑑みてなされたものであり、脆弱なキャピラリカラムでも挿通可能な自閉式細管挿通ゲートを提供し、以てＧＣ／ＭＳにおけるカラム交換作業の能率向上を図ることを目的とする。
【課題を解決するための手段】
【０００８】
本考案は、上記課題を解決するために、インターフェイス部における細管挿通ゲートを、細管挿通孔が貫設された非磁性材料の部材と、この部材内に封入され、外部磁界により移動させて前記細管挿通孔を開閉する磁性材料のボールとで構成する。このように構成することにより、外部からボールの近辺に磁石を近づけることでボールを移動させて細管挿通孔を開くことができるから、キャピラリカラムに無理な力を掛けずに挿通することができ、しかも、キャピラリカラムを抜き取ったときはボールが落下して直ちに細管挿通孔を塞ぎ、空気の流入を防ぐ。
【考案の効果】
【０００９】
上記のように構成された本考案になる細管挿通ゲートをＧＣ／ＭＳのインターフェイス部に用いることにより、質量分析部の真空を落とさずにカラムを交換することが可能となり、カラム交換作業の能率が上がり、また装置稼働率も向上する。
【考案を実施するための最良の形態】
【００１０】
本考案が提供するクロマトグラフ質量分析装置は次のような特徴を有する。即ち、第１の特徴は細管挿通孔が貫設された部材内に封入されたボールの移動により前記細管挿通孔を開閉するように構成した点にあり、第２の特徴は前記ボールを磁性材料で構成し前記部材を非磁性材料で構成した点である。
従って、最良の形態の基本的な構成は、上記２件の特徴的構成を具備する細管挿通ゲートを備えたクロマトグラフ質量分析装置である。
【実施例１】
【００１１】
図１に本考案の一実施例を示す。同図においては、図３と同一物には同符号を付してあるので再度の説明を略す。
本実施例が図３と相違する点は、細管挿通孔１７の中間に磁性材料（例えば、軟鉄）製のボール１８を封入した点である。一方、ボディ１１は非磁性材料（例えば、非磁性ステンレス）で構成する。ボール１８は、図４におけるボール３３と同様に、細管挿通孔１７に直交する方向に移動可能であり、図１の状態では、挿通されたキャピラリカラム４の上方に待避しているが、キャピラリカラム４を左方に抜去すると、自重で落下して細管挿通孔１７を閉塞する。
なお、１９はボール１８を封入するためのプラグである。
【００１２】
キャピラリカラム４を挿通するときは、プラグ１９の上方から磁力を作用させると、ボール１８はこれに引き寄せられて上方に移動するので、キャピラリカラム４を無理なく挿通することができる。図２は、この過程を示すものである。なお同図においては、図１と同一物には同符号を付してあるので再度の説明を略す。
以下、図２によりキャピラリカラム４を挿通する過程を説明する。
同図（Ａ）のように、予めナット１２とフェルール１３に通したキャピラリカラム４を細管挿通孔１７にボール１８の直前まで挿し込み、次に（Ｂ）のように永久磁石２０を近づけてボール１８を上方に引き寄せた後、（Ｃ）のようにキャピラリカラム４をさらに奥まで挿通し、ナット１２を締めると、図１の状態となり挿通が完成する。
【００１３】
なお、永久磁石２０の代わりに電磁石を予め設置しておいて、細管挿通時に通電することにより磁力を発生させるようにしてもよい。また、図１におけるプラグ１９も軟鉄などの磁性材料で構成すれば、プラグ１９がヨークとして作用するので、比較的弱い磁力でもボール１８を引き寄せることが可能となり、本考案の確実性が向上する。
さらに、以上の説明から自明であるが、本考案はＧＣ／ＭＳばかりでなく、ＬＣ／ＭＳにおける大気圧イオン化部にも適用可能である。
【産業上の利用可能性】
【００１４】
本考案はＧＣ／ＭＳ等の分析装置に利用できる。
【図面の簡単な説明】
【００１５】
【図１】本考案の一実施例を示す図である。
【図２】本考案装置の動作を説明する図である。
【図３】従来の構成例を示す図である。
【図４】従来の他の構成例を示す図である。
【符号の説明】
【００１６】
１  細管挿通ゲート
２  ガスクロマトグラフ部
３  質量分析部
４  キャピラリカラム
５  試料導入部
１１  ボディ
１２  ナット
１３  フェルール
１４  パッキン
１５  ナット
１６  隔壁
１７  細管挿通孔
１８  ボール
１９  プラグ
２０  永久磁石
３１  細管
３２  ボディ
３３  ボール
３４  スプリング
３５  細管挿通孔
３６  カバー
【図１】
0003134325.tif 000003
【図２】
0003134325.tif 000004
【図３】
0003134325.tif 000005
【図４】
0003134325.tif 000006